(57)【要約】 【課題】  外反母趾用の矯正具。装着中に拇趾をないそく（内側）方向に向ける作用が失われないようにする。【解決手段】  いずれも伸縮性のある布で形成されたサポ−ター１１、母趾サック１２、及び拇趾サック１２に一端が固定された牽引帯１３〜１５からなる外反母趾の矯正具。サポーター１１は足根部の周囲に装着されるもので、そのないそく側に面ファスナー２５が取り付けられ、踵が露出する穴１９を有する。牽引帯１３〜１５には他端に面ファスナー２５に接着する面ファスナー２６〜２８が取り付けられている。主牽引帯１３の上下に補助牽引帯１４，１５が位置する。【選択図】  図４
2005152218.tif 000002
【特許請求の範囲】
【請求項１】
いずれも伸縮性のある布で形成されたサポ−ターと母趾サック及び該拇趾サックに一端が固定された牽引帯からなり、前記サポーターは足根部の周囲に装着されるもので、そのないそく側に面ファスナーが取り付けられ、踵が露出する穴を有し、前記牽引帯には他端に前記サポーターの面ファスナーに接着する面ファスナーが取り付けられ、前記サポーターの面ファスナーと牽引帯の面ファスナーを接着させて前記牽引帯により前記母趾サックを後方に牽引するようにした外反母趾の矯正具において、前記拇指サックに固定された牽引帯は中央の主牽引帯と上下の補助牽引帯の３本とされ、前記サポーターの面ファスナーは上下方向の幅が前記３本の牽引帯の面ファスナーの幅の合計とほぼ同じかそれより大きく設定されていることを特徴とする外反母趾の矯正具。
【請求項２】
前記サポーターは、甲側で着脱自在に分割されていることを特徴とする請求項１に記載された外反母趾の矯正具。
【請求項３】
前記牽引帯の一端は、拇指サックのないそく側に固定されていることを特徴とする請求項１又は２に記載された外反母趾の矯正具。
【発明の詳細な説明】
【技術分野】
【０００１】
本発明は、拇趾（親指）が第二趾の方向に屈曲した状態になる外反拇趾を矯正するための矯正具の改良に関する。
【背景技術】
【０００２】
本発明者は、下記特許文献１に記載されているように、いずれも伸縮性のある布で形成されたサポ−ターと母趾サック及び該拇趾サックに一端が固定された牽引帯からなる外反母趾矯正具を考案した。同文献１をみると、前記サポーター（右足用）は、踵穴が設けられた踵部と、該踵部から左右に延びる左翼部及び右翼部からなり、両翼部には互いに接着する面ファスナー（雌と雄）が取り付けられ、また、前記牽引帯の他端には前記左翼側の面ファスナー（雌）に接着する面ファスナー（雄）が取り付けられている。この外反母趾矯正具の装着に当たっては、まず、前記サポーターを足根部（右足）の周囲に巻き回し、甲側で前記両面ファスナーを接着させることにより足根部に装着し、続いて、前記拇趾サックを拇趾に被せ、前記牽引帯がないそく（内側）側にくるようにして、該牽引帯を引張り、その面ファスナーを左翼側の面ファスナーに接着する。これにより、牽引帯の張力が拇趾をないそく（内側）方向（正常に戻す方向）に向け、装着を継続することにより外反母趾がしだいに矯正される。
そのほか、拇趾をないそく（内側）方向に向ける外力を加えて外反母趾を矯正する矯正具として、下記特許文献２〜７に記載されたようなものがある。
【０００３】
【特許文献１】登録実用新案第３０５９９２７号公報
【特許文献２】登録実用新案第３０８０２５２号公報
【特許文献３】登録実用新案第３０９２１２２号公報
【特許文献４】特開平１１−７６２８３号公報
【特許文献５】特開２０００−１１６６９６号公報
【特許文献６】特開２０００−１１６６８６号公報
【特許文献７】特開２００３−２９０２６３号公報
【発明の開示】
【発明が解決しようとする課題】
【０００４】
前記特許文献１に記載された矯正具は、足に痛みや圧迫感を与えず、長期間にわたって無理なく着用でき、その結果、効果的に外反拇趾の矯正が可能になるという利点がある。しかし、この矯正具は、特に外反母趾の変形が大きい場合、図５に示すように、使用中に拇趾サック２が回転して牽引帯３の固定部（図５（ｂ）の矢印位置参照）が上を向いてしまい、そのため、牽引帯３は拇趾をないそく（内側）方向に向けるのではなく、上向きに引っ張るという不都合が生じることがある。こうなると、この矯正具の作用効果が失われてしまう。
【０００５】
これを防止するため、拇趾サック１が回転しないように、牽引帯２の固定部近傍（図５（ａ）の矢印位置参照）において、接着テープで牽引帯２を足に貼り付けたりしてみたが、十分な効果が得られなかった。
本発明は、従来の矯正具のこのような問題点に鑑みてなされたもので、装着中に拇趾サックが回転するのを防止して、牽引帯が拇趾を内側方向に向ける作用が失われないようにすることを目的とする。
【課題を解決するための手段】
【０００６】
本発明は、 いずれも伸縮性のある布で形成されたサポ−ターと母趾サック及び該拇趾サックに一端が固定された牽引帯からなり、前記サポーターは足根部の周囲に装着されるもので、そのないそく（内側）側表面に面ファスナーが取り付けられ、踵が露出する穴を有し、前記牽引帯には他端の裏面に前記サポーターの面ファスナーに接着する面ファスナーが取り付けられ、前記サポーターの面ファスナーと牽引帯の面ファスナーを接着させて前記牽引帯により前記母趾サックを後方に牽引するようにした外反母趾の矯正具の改良に関し、前記拇指サックに固定された牽引帯は中央の主牽引帯と上下の補助牽引帯の３本とされ、前記サポーターの面ファスナーは上下方向の幅が前記３本の牽引帯の面ファスナーの幅の合計とほぼ同じかそれより大きく設定されていることを特徴とする。
本発明の具体的形態として、サポーターが甲側で着脱自在に分割されていること、及び３本の牽引帯の一端がいずれも拇指サックのないそく（内側）側に固定されていることを挙げることができる。なお、ないそく（内側）側とは、体の中心側のことである。
【発明の効果】
【０００７】
本発明の矯正具によれば、重度の変形をした外反母趾であっても、装着中に拇趾サックが回転して牽引帯が拇趾をないそく（内側）方向に向ける作用が失われるというようなことが防止される。
【発明を実施するための最良の形態】
【０００８】
図１〜図４を参照して、本発明に係る外反母趾の矯正具（左足用）について説明する。この矯正具は、いずれも伸縮性のある布で形成されたサポ−ター１１と母趾サック１２、及び拇趾サック１２に一端が固定された牽引帯１３〜１５（主牽引帯１３，補助牽引帯１４，１５）からなる。
サポーター１１は、足根部の周囲に装着されるように立体的に構成され、踵及びその周辺に装着される主体部１６と、その左右に延びて甲側で連結される左翼部１７及び右翼部１８からなり、主体部１６のほぼ中央部に踵が露出する踵穴１９を有する。左翼部１７の端部には面ファスナー（雌）２１が取り付けられ、右翼部１８の端部には面ファスナー（雄）２２が取り付けられ、両面ファスナー２１，２２は互いに接着し得る。従って、このサポーター１１は、甲側で着脱自在に分割されている、ということもできる。そして、両面ファスナー２１，２２を接着させたとき、このサポーター１１には、足首を囲む筒状の部分２３と足を囲む筒状の部分２４が構成され、これらが足根部の周囲を被う。
また、サポーター１１の表面には比較的広い面積の面ファスナー（雌）２５が取り付けられているが、この面ファスナーは、このサポーター１１を装着したとき、ないそく（内側）側に位置するように当該サポーター１１に取り付けられている（図３，４参照）。
【０００９】
拇趾サック１２は拇趾の長さの大部分を収容する大きさを有し、該拇趾サック１２の内面に３本の牽引帯１３〜１５の一端が固定されている。中央の主牽引帯１３は広幅であり、左右の補助牽引帯１４，１５はそれぞれ主牽引帯１３の半分の幅とされ、主牽引帯１３が内側、補助牽引帯１４，１５がその外側になるように重ねて固定されている。主牽引帯１３及び補助牽引帯１４，１５の他端の裏面には、面ファスナー（雄）２６〜２８が取り付けられ、これらは前記面ファスナー２５と互いに接着し得る。なお、前記面ファスナー２５の上下幅Ｗ（装着したときの上下方向の幅；図１参照）は、面ファスナー２６〜２８の幅ｗ１，ｗ２，ｗ３（図２参照）の合計より幅広に設定されている。
【００１０】
この矯正具の装着にあたっては、図３，４に示すように、はじめにサポーター１１を足根部の周囲に装着する。このとき、踵を踵穴１９にあてがい、かつ面ファスナー２５がないそく（内側）側にくるようにし、甲側で面ファスナー２１に面ファスナー２２を貼り付ける。このとき、踵穴１９から踵が露出することで、装着したサポーター１１の安定性が増す。
続いて、同じく図３，４に示すように、主牽引帯１３及び補助牽引帯１４，１５がないそく（内側）側にくるようにして拇趾に拇趾サック１２をはめ、主牽引帯１３を引っ張って面ファスナー１６を面ファスナー２５に貼り付け、続いて、補助牽引帯１４，１５を引っ張って、その面ファスナー２７，２８を主牽引帯１３の面ファスナー２６の上下位置に貼り付ける。なお、面ファスナー２５の上下幅Ｗを面ファスナー２６〜２８の幅の合計より大きく設定しているため、このような貼り付けが可能である。
【００１１】
これにより、拇趾サック１２は主牽引帯１３及び補助牽引帯１４，１５により後方に引っ張られ、拇趾をないそく（内側）方向に向ける作用が生じる。また、補助牽引帯１４，１５は、ほぼ水平に後方に向けて延びる主牽引帯１３に対し斜めに延びているため、その張力は拇趾サック１２を上下方向に引っ張る成分を有するとともに、内側に突出した第１中足趾節間接部を上下から挟む形になっているため、拇趾サック１２の位置が安定し、外反母趾の変形が大きい場合でも、牽引帯１３〜１５の固定部が使用中に上方に回転することが防止される。
【００１２】
そのほかは、前記特許文献１に記載された矯正具とほぼ同様である。すなわち、サポーター１１、拇趾サック１２及び牽引帯１３〜１５は、伸縮性のある布、例えばゴム編み或いはメリヤス編みのジャ−ジなど、ガ−ドル用の生地が用いられている。また、面ファスナー２１と面ファスナー２２は互いに接着するのであれば、いずれが雌でいずれが雄でもよい。面ファスナー２５と面ファスナー２６〜２８の関係も同様である。さらに、右足用の矯正具は、前記左足用の矯正具と対称に形成される。
【図面の簡単な説明】
【００１３】
【図１】本発明に係る矯正具のサポーターの斜視図である。
【図２】同じく矯正具の拇趾サックと牽引帯の斜視図である。
【図３】本発明に係る矯正具を装着したときの前方側斜視図である。
【図４】同じく側面図である。
【図５】従来の矯正具の問題点について説明するための平面図である。
【符号の説明】
【００１４】
１１  サポーター
１２  拇趾サック
１３  主牽引帯
１４，１５  補助牽引帯
１６  サポーターの主体部
１７  サポーターの左翼部
１８  サポーターの右翼部
１９  踵穴
２１，２２，２５，２６〜２８  面ファスナー
【図１】
2005152218.tif 000003
【図２】
2005152218.tif 000004
【図３】
2005152218.tif 000005
【図４】
2005152218.tif 000006
【図５】
2005152218.tif 000007